(57)【特許請求の範囲】
【請求項１】
被押動部を有していてシャッタ地板に回転可能に取り付けられており露光作動時には先羽根用駆動ばねの付勢力によって先羽根を伴って回転させられる先羽根用駆動部材と、押動部と被押動部とを有していて前記シャッタ地板に回転可能に取り付けられており露光作動時には後羽根用駆動ばねの付勢力によって回転させられる後羽根用駆動部材と、被押動部と被抑止部とを有していて前記シャッタ地板に回転可能に取り付けられており撮影時にはその初期段階においてセットばねの付勢力により露光作動開始位置に回転され露光作動時には該被押動部を前記後羽根用駆動部材の前記押動部に押され後羽根を伴って回転させられる後羽根用作動部材と、前記先羽根用駆動部材の前記被押動部を押す第１押動部と前記後羽根用駆動部材の前記被押動部を押す第２押動部と前記後羽根用作動部材の前記被抑止部に接触する第１抑止部及び第２抑止部とを有していて前記シャッタ地板に初期位置とセット位置との間で往復回転可能に取り付けられておりセット作動時には初期位置からセット位置まで回転される過程で前記各駆動ばねの付勢力に抗して前記各駆動部材をセットし撮影時にはその初期段階においてセット位置から初期位置へ復帰させられるセット部材と、を備えていて、前記後羽根用作動部材は、前記セット部材が初期位置からセット位置へ回転する場合においては、前記被抑止部が、前記後羽根用駆動部材のセット開始から途中までは前記第１抑止部に摺接して抑止され、途中からは前記第２抑止部に接触して抑止されるようにし、前記セット部材がセット位置から初期位置へ復帰する場合においては、前記被抑止部が、その初期段階で前記第２抑止部による抑止を解かれた後、前記第１抑止部の抑止面に接することなく露光作動開始位置へ回転させられるようにしたことを特徴とする二重遮光方式のカメラ用フォーカルプレンシャッタ。
【請求項２】
前記第２抑止部の抑止面は、前記セット部材が初期位置へ復帰する時に、前記被抑止部が前記セット部材を初期位置へ復帰させる方向へ付勢する形状の曲面に形成されていることを特徴とする請求項１に記載の二重遮光方式のカメラ用フォーカルプレンシャッタ。
【請求項３】
前記セットばねが、前記後羽根用駆動部材と前記後羽根用作動部材との間に相互に引き合うようにして掛けられていることを特徴とする請求項１又は２に記載の二重遮光方式のカメラ用フォーカルプレンシャッタ。
【発明の詳細な説明】
【０００１】
【発明の属する技術分野】
本発明は、カメラを使用していないときには、先羽根と後羽根の両方によってフィルム等の結像面を覆っているようにした二重遮光方式と称されているタイプのカメラ用フォーカルプレンシャッタに関する。
【０００２】
【従来の技術】
通常の二重遮光方式のカメラ用フォーカルプレンシャッタは、カメラの不使用時において、先羽根（群）と後羽根（群）の両方が露光開口を二重に覆っており、撮影に際してシャッタボタンが押されると、先ず、その初期段階において、後羽根（群）が露光開口を覆っている位置から露光作動開始位置に作動し、その後、先羽根（群）から順に露光作動を開始するようにしている。そのため、二重遮光方式でないフォーカルプレンシャッタよりも、カメラの不使用時における遮光性に優れ、高感度フィルムを装填している場合などに好適となる。また、遮光性がよくなるため、二重遮光方式でないシャッタの場合よりも、展開状態における隣接羽根同士の重なり量を少なくすることが可能となる。そして、そのようにした場合には、各羽根の平面積が小さくなるので、小型化，高速化にとっても有利となる。
【０００３】
しかしながら、二重遮光方式のシャッタの場合には、二重遮光方式でないシャッタの場合よりも複雑な作動を行わせることになるから、必然的に構成が複雑になる。そのため、配置上のことを考えると、どうしても必要以上の部品点数になってしまったり、各部材の形状が特殊なものになったりして、コスト上で不利になってしまうという問題点がある。そこで、そのような問題点を解決するために、必要最小限の部品点数であって、各構成部材の形状が複雑にならないようにした極めて優れた構成のものが、特開平１１−９５２８２号公報に開示されている。
【０００４】
【発明が解決しようとする課題】
ところで、二重遮光方式のフォーカルプレンシャッタは、カメラのレリーズボタンが押されたとき、後羽根（群）を露光作動開始位置へ作動させ、その露光作動開始位置で安定状態になってから先羽根（群）の露光作動を開始させる必要がある。そのため、カメラのレリーズから露光作動の開始までの時間がどうしても長くなり、所望の瞬間の撮影を逸してしまう可能性が大きくなる。そこで、このような観点から、上記の公報に記載された構成を見てみると、セット部材（２２）は、セット作動時において後羽根用駆動部材（１７）を作動させる前に、後羽根用作動部材（１８）が追従して作動しないようにしている。また、カメラのレリーズ後にセット部材（２２）が初期位置へ復帰するときには、復帰直前の最終段階で後羽根用作動部材（１８）の作動を可能にしている。そのため、セット部材（２２）が初期位置で停止したときには、後羽根群の羽根（１１〜１３）は停止時の振動等によって未だ安定状態になっていない可能性があり、何か特別な工夫をしない限りは、確実に安定状態になる時機を待ってから露光作動を開始させざるを得なくなる。
【０００５】
本発明は、このような問題点を解決するためになされたものであり、その目的とするところは、簡単な構成であるにもかかわらず、カメラのレリーズによってセット部材が初期位置へ復帰するとき、その初期段階において後羽根用作動部材の作動を可能にし、露光作動開始位置における後羽根（群）の安定状態が早期に得られるようにした二重遮光方式のカメラ用フォーカルプレンシャッタを提供することである。
【０００６】
【課題を解決するための手段】
上記の目的を達成するために、本発明の二重遮光方式のカメラ用フォーカルプレンシャッタは、被押動部を有していてシャッタ地板に回転可能に取り付けられており露光作動時には先羽根用駆動ばねの付勢力によって先羽根を伴って回転させられる先羽根用駆動部材と、押動部と被押動部とを有していて前記シャッタ地板に回転可能に取り付けられており露光作動時には後羽根用駆動ばねの付勢力によって回転させられる後羽根用駆動部材と、被押動部と被抑止部とを有していて前記シャッタ地板に回転可能に取り付けられており撮影時にはその初期段階においてセットばねの付勢力により露光作動開始位置に回転され露光作動時には該被押動部を前記後羽根用駆動部材の前記押動部に押され後羽根を伴って回転させられる後羽根用作動部材と、前記先羽根用駆動部材の前記被押動部を押す第１押動部と前記後羽根用駆動部材の前記被押動部を押す第２押動部と前記後羽根用作動部材の前記被抑止部に接触する第１抑止部及び第２抑止部とを有していて前記シャッタ地板に初期位置とセット位置との間で往復回転可能に取り付けられておりセット作動時には初期位置からセット位置まで回転される過程で前記各駆動ばねの付勢力に抗して前記各駆動部材をセットし撮影時にはその初期段階においてセット位置から初期位置へ復帰させられるセット部材と、を備えていて、前記後羽根用作動部材は、前記セット部材が初期位置からセット位置へ回転する場合においては、前記被抑止部が、前記後羽根用駆動部材のセット開始から途中までは前記第１抑止部に摺接して抑止され、途中からは前記第２抑止部に接触して抑止されるようにし、前記セット部材がセット位置から初期位置へ復帰する場合においては、前記被抑止部が、その初期段階で前記第２抑止部による抑止を解かれた後、前記第１抑止部の抑止面に接することなく露光作動開始位置へ回転させられるようにする。
【０００７】
その場合、前記第２抑止部の抑止面は、前記セット部材が初期位置へ復帰する時に、前記被抑止部が前記セット部材を初期位置へ復帰させる方向へ付勢する形状の曲面に形成されているようにすると、セット作動時に、後羽根が露光開口の一部を一時的に開放するような構成になっている場合には、セット状態では完全に覆っているようにすることが可能であるし、また、セット部材を初期位置へ復帰させるためのばねを設けている場合には、その復帰作動を速くすることも可能になる。また、前記セットばねが、前記後羽根用駆動部材と前記後羽根用作動部材との間に相互に引き合うようにして掛けられているようにすると、製作時における先羽根用駆動ばねの付勢力と後羽根用駆動ばねの付勢力とのバランス調整が容易になる。
【０００８】
【発明の実施の形態】
本発明の実施の形態を、図１〜図１０に示した実施例によって説明する。尚、図１はカメラに組み込まれた状態において被写体側から視た場合の略左半分だけを示した平面図であって、露光作動を終了した直後の状態を示したものである。また、図２〜図１０は、図１と同じようにして示した平面図であって、各々別の作動状態を示したものである。また、本実施例の構成の説明に際しては、被写体側を表面側と称し、フィルムやＣＣＤなどの結像面側を背面側と称することにする。
【０００９】
図１において、シャッタ地板１は、その略中央部に、長方形を横長にした開口部１ａを形成している。しかし、上記したように、図１は実施例のシャッタを被写体側から視て左側の部分だけを示したものであるから、その開口部１ａについても、左側の一部だけが示されている。また、周知であるため図示していないが、シャッタ地板１には、その背面側に、所定の空間を空けて、中間板と補助地板が順に取り付けられており、シャッタ地板１と中間板との間を先羽根の羽根室とし、中間板と補助地板との間を後羽根の羽根室としている。そして、それらの中間板と補助地板にも、開口部１ａと類似の開口部が形成されていて、通常は、それらの三つの開口部を重ね合わせてシャッタユニットとしての露光開口（画枠）を規制するようにしているが、本実施例においては、開口部１ａの形状が露光開口を規制しているものとして説明する。
【００１０】
シャッタ地板１には、開口部１ａの左側の上下位置に、円弧状の二つの長孔１ｂ，１ｃが形成されており、それらの下方端部には、平面形状がＣ字状をした周知の緩衝部材２，３が取り付けられている。また、開口部１ａの左側の中央位置には、長孔１ｄが形成されている。更に、シャッタ地板１の表面側には，軸１ｅ，１ｆ，１ｇが立設され、背面側には軸１ｈ，１ｉ，１ｊ，１ｋが立設されており、それらのうち、軸１ｅと軸１ｈ、及び軸１ｆと軸１ｊは、夫々同心上に配置されている。
【００１１】
シャッタ地板１の軸１ｅには、先羽根用駆動部材４が回転可能に取り付けられており、周知であるため図示していない先羽根用駆動ばねによって時計方向へ回転するように付勢されている。また、この先羽根用駆動部材４は、背面側にローラ４ａと駆動ピン４ｂを有していて、その駆動ピン４ｂは、先羽根用駆動部材４の露光作動終了時に、その根元部が緩衝部材２に当接するようになっていて、先端部をシャッタ地板１の背面側に突き出している。更に、この先羽根用駆動部材４には取付部４ｃが設けられており、そこに、特開２００１−２１９４６号公報に示されているようにして、周知の鉄片部材５が取り付けられている。
【００１２】
シャッタ地板１の軸１ｆには、後羽根用駆動部材６と後羽根用作動部材７とが、個々に回転可能に取り付けられている。そのうち、後羽根用駆動部材６は、図示していない後羽根用駆動ばねによって時計方向へ回転するように付勢されている。また、この後羽根用駆動部材６は、被押動部６ａ，取付部６ｂ，押動部６ｃを有しており、その取付部６ｂには、上記の鉄片部材５と同じようにして、周知の鉄片部材８が取り付けられている。他方、後羽根用作動部材７は、表面側には被抑止部７ａを有し、背面側には駆動ピン７ｂを有しており、その駆動ピン７ｂは、その根元部が、露光作動時には後羽根用駆動部材６の押動部６ｃに押され、露光作動終了時には緩衝部材３に当接するようになっていて、先端部はシャッタ地板１の背面側に突き出ている。
【００１３】
また、本実施例においては、後羽根用駆動部材６と後羽根用作動部材７との間に、セットばね２２が掛けられていて、後羽根用駆動部材６を時計方向へ、後羽根用作動部材７を反時計方向へ回転させるように付勢している。しかしながら、本発明は、セットばね２２をそのように掛ける場合に限定されるものではなく、周知のように、セットばね２２の付勢力を後羽根用駆動ばねの付勢力よりも小さくして、後羽根用作動部材７とシャッタ地板１との間に掛け、後羽根用作動部材７を反時計方向へ付勢するようにしてもよいし、アーム１６とシャッタ地板１との間に掛け、アーム１６を反時計方向へ付勢するようにしても差し支えない。ただ、それらのようにした場合は、露光作動時には、後羽根用駆動ばねの付勢力に逆らう力として作用することになるので、本実施例のように構成した方が、製作時において先羽根用駆動ばねとの付勢力のバランスを調整するのに有利である。
【００１４】
シャッタ地板１の軸１ｇには、セット部材９が回転可能に取り付けられている。このセット部材９は、背面側に設けたピン９ａをシャッタ地板１の長孔１ｄに挿入し、図示していない復帰ばねによって、反時計方向へ回転するように付勢されている。図１は、その反時計方向の回転を、ピン９ａが長孔１ｄの下端に当接して停止させられた状態を示している。セット部材９にとっては、この位置が初期位置である。また、このセット部材９は、上記のピン９ａのほかに、押動部９ｂ，９ｃと、被押動部９ｄと、第１抑止部９ｅと、第２抑止部９ｆとを有している。
【００１５】
それらのうち、第１抑止部９ｅと第２抑止部９ｆとは、セット部材９の背面側に形成された部位であって、後述するように、それらの外周面のうち、後羽根用作動部材７の被抑止部７ａと摺接する面が抑止面となっている。また、第１抑止部９ｅと第２抑止部９ｆとの間には短い溝状の間隙が設けられていて、その間隙内を被抑止部７ａが移動し得るようになっている。更に、第１抑止部９ｅと第２抑止部９ｆの抑止面は、いずれも軸１ｇを中心にした半径の異なる円弧面に形成されている。しかし、第２抑止部９ｆの抑止面は、後述するように、第１抑止部９ｅに近付くにしたがい、軸１ｇとの距離が少しずつ短くなる曲面にしてもよい。
【００１６】
次に、シャッタ地板１の背面側に配置されている先羽根と後羽根の構成を説明するが、先ず、先羽根について説明する。アーム１０，１１は、シャッタ地板１の軸１ｈ，１ｉに回転可能に取り付けられていて、それらの先端部に向けて順に、周知の方法によって４枚の羽根１２，１３，１４，１５を枢支しているが、それらの最先端部に枢支された羽根１５がスリット形成羽根であって、一番シャッタ地板１側に配置されている。従って、アーム１０，１１は、スリット形成羽根１５よりも更にシャッタ地板１側に配置されていることになる。また、アーム１０には周知の長孔が形成されていて、上記した先羽根用駆動部材４の駆動ピン４ｂが、その長孔に嵌合している。
【００１７】
次に、上記の先羽根を裏返した状態で配置されている後羽根について説明する。アーム１６，１７は、シャッタ地板１の軸１ｊ，１ｋに回転可能に取り付けられていて、それらの先端部に向けて順に、４枚の羽根１８，１９，２０，２１を枢支しているが、それらの最先端部に枢支した羽根２１がスリット形成羽根となっている。また、アーム１６には周知の長孔が形成されていて、上記した後羽根用作動部材７の駆動ピン７ｂが、その長孔に嵌合している。
【００１８】
次に、本実施例の作動を説明する。図１は露光作動終了直後の状態を示している。従って、先羽根用駆動部材４の駆動ピン４ｂは、長孔１ｂの下方端部に取り付けられた緩衝部材２に当接しており、先羽根の４枚の羽根１２〜１５は重畳されて開口部１ａの下方位置に格納されている。また、後羽根用作動部材７は、図示していない後羽根用駆動ばねにより時計方向へ回転するように付勢されている後羽根用駆動部材６の押動部６ｃに押され、駆動ピン７ｂを、長孔１ｃの下方端部に取り付けられた緩衝部材３に当接させている。そして、このとき、後羽根の４枚の羽根１８〜２１は展開され、開口部１ａを覆っている。更に、この状態においては、セット部材９が、図示していない復帰ばねの付勢力によって反時計方向へ回転され、ピン９ａを長孔１ｄの下方端に当接させた初期位置にある。
【００１９】
このような図１の状態からセット作動が行なわれるが、その際には、図示していないカメラ本体側の部材がセット部材９の被押動部９ｄを押し、セット部材９を、図示していない復帰ばねの付勢力に抗して時計方向へ回転させる。それによって、先ず、セット部材９の押動部９ｂが先羽根用駆動部材４のローラ４ａを押し、先羽根用駆動部材４を、図示していない先羽根用駆動ばねの付勢力に抗して反時計方向へ回転させていく。そのため、駆動ピン４ｂに連動して、アーム１０，１１も反時計方向へ回転され、４枚の羽根１２〜１５は隣接する羽根同士の重なり量を少なくしつつ、上方へ移動し始める。そして、セット部材９の押動部９ｃが後羽根用駆動部材６の被押動部６ａに接触する直前の状態が、図２に示されているが、このとき、セット部材９の第１抑止部９ｅは後羽根用作動部材７の被抑止部７ａの作動軌跡内に入りかけている。
【００２０】
セット部材８が、図２の状態から更に回転すると、押動部９ｃが被押動部６ａを押し、後羽根用駆動部材６を、図示していない後羽根用駆動ばねの付勢力に抗して反時計方向へ回転させ始める。このとき、後羽根用駆動部材６と後羽根用作動部材７との間にはセットばね２２が掛けられているため、後羽根用作動部材７も、駆動ピン７ｂが押動部６ｃに追従して反時計方向へ回転し始める。そのため、駆動ピン７ｂを介してアーム１６も反時計方向へ回転され、４枚の羽根１８〜２１は隣接する羽根同士の重なり量を大きくしつつ上方へ移動を開始する。しかしながら、そのときには、セット部材９の第１抑止部９ｅが後羽根用作動部材７の被抑止部７ａの作動軌跡内に完全に入っているため、被抑止部７ａが第１抑止部９ｅに当接して、後羽根用作動部材７の回転は直ちに停止させられてしまう。従って、このときには、後羽根の４枚の羽根１８〜２１は、若干作動しただけであって、未だ完全に開口部１ａを覆っている。
【００２１】
このようにして、後羽根用作動部材７の被抑止部７ａがセット部材９の第１抑止部９ｅに当接した後も、セット部材９は、時計方向への回転を続けるが、このときには、先羽根用駆動部材４を先羽根用駆動ばねの付勢力に抗し、また、後羽根用駆動部材６を後羽根用駆動ばねとセットばねの付勢力に抗して、夫々反時計方向へ回転させていく。そのため、第１係止部９ｅの抑止面は、被抑止部７ａに対して摺動し、後羽根用作動部材７の抑止状態を維持するが、先羽根用駆動部材４は反時計方向への回転を続けているので、先羽根の４枚の羽根１２〜１５はなおも上方への移動を続けていく。そして、開口部１ａを覆い終わる前の状態が図３に示されている。
【００２２】
その後、先羽根の４枚の羽根１８〜２１が開口部１ａを完全に覆った段階になると、第１抑止部９ｅによる被抑止部７ａの抑止が解け、後羽根用作動部材７は、後羽根用駆動部材６との間に掛けられたセットばね２２の付勢力によって反時計方向へ回転させられるが、その回転は、既に被抑止部７ａの作動軌跡内に進入している第２抑止部９ｆによって停止させられる。その状態が図４に示されている。上記したように、このときには、既に先羽根の４枚の羽根１２〜１５は開口部１ａを完全に覆っている。また、後羽根の４枚の羽根１８〜２１は、被抑止部７ａが第２抑止部９ｆに抑止されるまで後羽根用作動部材７が回転させられたため、上方へ移動させられており、スリット形成羽根２１が開口部１ａの一部を開放した状態になっている。
【００２３】
セット部材９は、その後も若干時計方向へ回転させられるが、その過程において、鉄片部材５，８が、図示していない先羽根用電磁石と後羽根用電磁石に対して次々と接触させられる。そして、セット部材９の時計方向の回転、即ちセット作動の終了した状態が図５に示されている。このとき、先羽根の４枚の羽根１２〜１５は図４の状態よりも若干上方へ移動させられているが、図面上では判別できない程度である。また、第２抑止部９ｆの抑止面が軸１ｇを中心にした円弧状に形成されているので、第２抑止部９ｆが被抑止部７ａに対して摺動している間も後羽根用作動部材７は回転されていない。そのため、後羽根の４枚の羽根１８〜２１は、図４の状態と全く変わらない。更に、セット部材９は、鉄片部材５，８が各電磁石に接触した後も若干回転させられたので、鉄片部材５，８は、周知のように、取付部４ｃ，６ｂ内に配置されたばねを圧縮し、あたかも右下方へ押されたかのような状態になっている（具体的には上記の特開２００１−２１９４６号公報参照）。
【００２４】
このように、セット作動の終了した図５の状態においては、開口部１ａの殆どが先羽根と後羽根とで二重に覆われており、この状態は次の撮影が行なわれるまで維持されている。従って、開口部１ａからの漏光は好適に防止することが可能である。ところが、このとき、後羽根の４枚の羽根１８〜２１は完全には開口部１ａを覆っていない。そこで、当然のことながら、後羽根の４枚の羽根１８〜２１が開口部１ａを完全に覆っているようにしたい場合もある。本実施例は、そのような場合にも、第２抑止部９ｆの形状を少し変えるだけで、簡単に対応することが可能である。即ち、本実施例の場合には、第２抑止部９ｆの抑止面が、軸１ｇを中心にして円弧状に形成されているが、その形状を、セット部材９が図４の状態から時計方向へ回転するにしたがい、被抑止部７ａを押して、後羽根用作動部材７を時計方向へ回転させていくような曲面にすればよい。
【００２５】
次の撮影に際して、カメラのレリーズボタンが押されると、先ず、図示していない先羽根用電磁石と後羽根用電磁石に通電され、鉄片部材５，８が吸着保持される。次に、図示していないカメラ本体側の部材が、セット部材９の被押動部９ｄに対する押圧力を解いていくため、セット部材９は、図示していない復帰ばねの付勢力によって、初期位置へ向けて反時計方向へ回転を開始する。このとき、セット部材９の押動部９ｂ，９ｃがローラ４ａ，被押動部６ａの押圧力を徐々に解いていくので、二つの駆動部材４，６は、図示していない各駆動ばねの付勢力によって、時計方向へ回転していくが、鉄片部材５，８が各々の電磁石に吸着保持されているので、その回転は、鉄片部材５，８と取付部４ｃ，６ｂとの相対位置関係が図１〜図４の状態と同じになったとき停止させられる。その状態が図６に示されている。
【００２６】
このとき、後羽根用作動部材７の被抑止部７ａは、未だ第２抑止部９ｆの抑止面に接触している。そして、後羽根用作動部材７は、図５から図６の状態に至るまで全く回転していないから、後羽根の４枚の羽根１８〜２１は、図５に示した状態と変わっていない。また、先羽根用駆動部材４は若干時計方向へ回転させられたから、先羽根の４枚の羽根１２〜１５も若干下方へ移動させられているが、その移動量は極めて僅かである。尚、このとき、第２抑止部９ｆの抑止面が、上記したように、第１抑止部９ｅに近付くにしたがい、軸１ｇとの距離が少しずつ短くなる曲面として形成されていた場合は、セット部材９を回転させる力は、セットばね２２の付勢力も加わることになるので、本実施例の場合よりも小さくて済むから、同じ付勢力の復帰ばねを用いた場合には、本実施例の場合よりもセット部材９が速く回転することになる。
【００２７】
セット部材９が図６の位置から僅かに反時計方向へ回転した段階で、後羽根用作動部材７の被抑止部７ａが、第２抑止部９ｆの抑止面から離れ、第１抑止部９ｅと第２抑止部９ｆの間に達する。そのため、後羽根用作動部材７は、後羽根用駆動部材６との間に掛けられたセットばね２２の付勢力によって、被抑止部７ａが第１抑止部９ｅと第２抑止部９ｆとの間隙を通ることにより、反時計方向へ急速に回転させられる。そのようにして、被抑止部７ａが、セット作動時と撮影時の初期段階とでは異なる経路を通ってその早い時機に後羽根用作動部材７が反時計方向への回転を開始した直後の状態が図７に示されている。このとき、先羽根の４枚の羽根１２〜１５は図６と同じ状態にあり、後羽根の４枚の羽根１８〜２１は、図６の状態よりは上方へ移動している。
【００２８】
後羽根用作動部材７は、なおも反時計方向への回転を続けるが、その回転は、後羽根用作動部材７の駆動ピン７ｂが後羽根用駆動部材６の押動部６ｃに当接することによって停止する。その状態が図８に示されている。このとき、後羽根用作動部材７の被抑止部７ａは、第１抑止部９ｅの作動に影響を及ぼさない位置にある。また、後羽根用作動部材７が反時計方向へ回転したことにより、アーム１６が駆動ピン７ｂによって反時計方向へ回転され、後羽根の４枚の羽根１８〜２１は上方へ移動させられ、重畳状態となって開口部１ａの上方位置に格納されている。先羽根と後羽根にとっては、このような位置が露光作動開始位置である。その後、セット部材９は、図示していない復帰ばねの付勢力によって、なおも反時計方向へ回転し、ピン９ａがシャッタ地板１の長孔１ｄの縁に当接することによって初期位置へ復帰する。その状態が図９に示されている。
【００２９】
このように、図９の状態になって初めて、先羽根と後羽根とによるフィルムの露光作動が開始される。従って、シャッタチャンスを逸しないためにも、カメラのレリーズボタンを押してから短時間のうちに図９の状態が得られ、図９の状態になったときには、直ちに露光作動を開始できる状態になっていることが要求される。その点、本実施例の場合には、セット部材９の復帰作動の早い段階で、後羽根用作動部材７が反時計方向へ回転され、図８に示された状態が得られるようになっているので、後羽根用作動部材７が図８の状態で停止したとき、停止時の衝撃で後羽根の４枚の羽根１８〜２１が振動し一時的に不安定な状態になったとしても、セット部材９が図９の状態に復帰したときには安定した状態となっている。そのため、図９の状態が得られた直後に露光作動を開始させることが可能となっている。
【００３０】
また、第２抑止部９ｆの抑止面を上記したような曲面として形成した場合には、セットばね２２の付勢力が有効に働き、セット部材９は、図９に示した初期位置へ速く復帰する。更に、本実施例の場合には、後羽根用作動部材７が図８の状態になったとき、駆動ピン７ｂが押動部６ｃに当接して後羽根用駆動部材６を一時的に僅かながら反時計方向へ回転させる。その後、後羽根用駆動部材６は、図示していない後羽根用駆動ばねの付勢力によって図８の状態に復帰するが、このとき、鉄片部材８に対して図示していない後羽根用電磁石から離反させる力が作用する。そのため、通常はそれに耐えるだけの電流を該電磁石に供給しているが、本実施例の場合には、後羽根用駆動部材６の被押動部６ａがセット部材９の押動部９ｃに摺接している間に、駆動ピン７ｂが押動部６ｃに当接するので、鉄片８に対して電磁石から離反させる力がかからない。従って、電池の消耗が少なくて済むことになる。
【００３１】
このようにして、図９の状態が得られた後、最初に先羽根用電磁石に対する通電が断たれ、所定時間後に後羽根用電磁石に対する通電が断たれる。そこで、先ず、先羽根用電磁石の通電が断たれると、先羽根用駆動部材４は、図示していない先羽根用駆動ばねの付勢力によって、急速に時計方向へ回転させられる。それによって、駆動ピン４ｂがアーム１０を時計方向へ回転させるので、先羽根の４枚の羽根１２〜１５は、隣接する羽根同士の重なり量を大きくしながら下方へ移動してゆき、スリット形成羽根１５のスリット形成縁によって開口部１ａを開いていく。そして、スリット形成羽根１５のスリット形成縁が、開口部１ａの下方位置へ隠れた段階で、先羽根用駆動部材４は、その駆動ピン４ｂを緩衝部材２に当接させて停止する。その状態が図１０に示されている。
【００３２】
他方、先羽根用駆動部材４が露光作動を開始してから所定時間後に、後羽根用電磁石の通電が断たれる。それによって、後羽根用駆動部材６も、図示していない後羽根用駆動ばねの付勢力によって、急速に時計方向へ回転させられるが、このとき、後羽根用駆動部材６の押動部６ｃが駆動ピン７ｂを押すことによって、後羽根用作動部材７を時計方向へ回転させる。そのため、駆動ピン７ｂがアーム１６を時計方向へ回転させるので、後羽根の４枚の羽根１８〜２１は、隣接する羽根同士の重なり量を少なくしつつ下方へ移動してゆき、スリット形成羽根２１のスリット形成縁によって開口部１ａを閉じていく。そして、スリット形成羽根２１のスリット形成縁が、開口部１ａの下方位置へ隠れた段階で、後羽根用作動部材７は、その駆動ピン７ｂを緩衝部材３に当接させて停止する。そのようにして停止した状態が、図１に示された状態である。
【００３３】
尚、本実施例においては、セット部材９がセット位置から初期位置へ復帰するとき、復帰ばねの付勢力によって、カメラ本体側の部材に追従して作動する場合で説明した。それは、そのような構成にすると、シャッタユニットをカメラ本体に組み付けるに際し、カメラ本体側の部材との連結が容易になるからである。しかし、本発明は、そのような構成に限定されず、本実施例のように復帰ばねを設けず、セット部材９は、セット作動も復帰作動も、カメラ本体側の部材の駆動力によって作動させられるようにしてもよい。
【００３４】
更に、周知ではあるが、カメラ用フォーカルプレンシャッタには、露光作動開始直前の状態において、各駆動部材を露光作動開始位置に保持する構成として、係止部材によって保持しておくようにした係止タイプと称されているものと、上記の実施例のように、電磁石によって直接保持しておくようにしたダイレクトタイプとが知られている。そして、係止タイプであって二重遮光方式のものにおいては、本実施例と同様に、カメラのレリーズ後に、セット部材を初期位置へ復帰させるようにし、その復帰作動によって二重遮光状態を解除するようにしたものが知られている。従って、本発明は、本実施例のようなダイレクトタイプのシャッタに限定されるものではない。
【００３５】
【発明の効果】
以上のように、本発明の二重遮光方式のフォーカルプレンシャッタによれば、セット部材が、セット作動の初期段階で後羽根用作動部材の作動を抑止するようにしているにもかかわらず、その抑止の解除が、セット部材の復帰作動の最終段階でではなく、初期段階で行われるようにしている。そのため、セット部材が初期位置へ復帰した段階では、後羽根が露光作動開始位置で完全に安定状態となっており、直ちに露光作動を開始させることができるから、シャッタチャンスを逸する可能性が少なくなる。また、本発明は、そのような機能が得られるようにするために、特別な部材を設けるわけではなく、セット部材の形状によってそれを可能にしたものであり、しかも、特に複雑な形状にするわけでもなく且つ他の構成部材の配置に影響を及ぼものでもないから、コスト的にも製作上でも極めて有効である。
【図面の簡単な説明】
【図１】被写体側から視た場合の略左半分を示した実施例の平面図であって、露光作動を終了した直後の状態を示したものである。
【図２】図１と同じようにして示した平面図であって、セット作動の初期段階で先羽根だけが作動を開始した状態を示したものである。
【図３】図１と同じようにして示した平面図であって、図２に示した状態よりもセット作動の進んだ状態を示したものである。
【図４】図１と同じようにして示した平面図であって、図３に示した状態よりもセット作動の進んだ状態を示したものである。
【図５】図１と同じようにして示した平面図であって、セット作動の終了した状態を示したものである。
【図６】図１と同じようにして示した平面図であって、レリーズ後におけるセット部材の復帰作動の開始直後の状態を示したものである。
【図７】図１と同じようにして示した平面図であって、セット部材の復帰作動によって二重遮光状態が解除される直前の状態を示したものである。
【図８】図１と同じようにして示した平面図であって、二重遮光状態が解除された状態を示したものである。
【図９】図１と同じようにして示した平面図であって、セット部材の復帰作動が終了した状態を示したものである。
【図１０】図１と同じようにして示した平面図であって、先羽根だけが露光作動を終了し、後羽根が未だ露光作動を開始していない状態を示したものである。
【符号の説明】
１                          シャッタ地板
１ａ                        開口部
１ｂ，１ｃ，１ｄ            長孔
１ｅ，１ｆ，１ｇ，１ｈ，１ｉ，１ｊ，１ｋ  軸
２，３                      緩衝部材
４                          先羽根用駆動部材
４ａ                        ローラ
４ｂ，７ｂ                  駆動ピン
４ｃ，６ｂ                  取付部
５，８                      鉄片部材
６                          後羽根用駆動部材
６ａ，９ｄ                  被押動部
６ｃ，９ｂ，９ｃ            押動部
７                          後羽根用作動部材
７ａ                        被抑止部
９                          セット部材
９ａ                        ピン
９ｅ                        第１抑止部
９ｆ                        第２抑止部
１０，１１，１６，１７      アーム
１２，１３，１４，１５，１８，１９，２０，２１  羽根
２２                        セットばね
【図１】
0004667673.tif 000002
【図２】
0004667673.tif 000003
【図３】
0004667673.tif 000004
【図４】
0004667673.tif 000005
【図５】
0004667673.tif 000006
【図６】
0004667673.tif 000007
【図７】
0004667673.tif 000008
【図８】
0004667673.tif 000009
【図９】
0004667673.tif 000010
【図１０】
0004667673.tif 000011